(57)【特許請求の範囲】
【請求項１】
携帯可能で無線通信機能を有する携帯無線端末装置であって、
携帯無線端末装置としての通常の機能が動作する通常モードと利用者の保護機能及び前記通常の機能が動作する警戒モードと前記警戒モードの状態で所定の条件が成立した場合に前記通常の機能を停止して前記利用者の保護機能が電源がオフの状態で動作する緊急モードとの間の動作モードの遷移を制御する動作モード遷移制御手段と、
前記動作モード遷移制御手段により動作モードが警戒モードに遷移された状態で利用者の状況に関する情報を警戒情報として所定の送信先に送信する警戒情報送信手段と、
前記動作モード遷移制御手段により動作モードが緊急モードに遷移された状態で電源をオンにして利用者の状況に関する情報を緊急情報として所定の送信先に送信する緊急情報送信手段と、
を備えたことを特徴とする携帯無線端末装置。
【請求項２】
前記動作モード遷移制御手段は、電源がオフされた場合、電池残量が所定の量を下回った場合または所定の時間が経過した場合を前記所定の条件が成立した場合として緊急モードへ動作モードを遷移することを特徴とする請求項１に記載の携帯無線端末装置。 
【請求項３】
前記動作モード遷移制御手段は、利用者によるキー操作によって通常モードと警戒モードとの間の動作モードの遷移を制御することを特徴とする請求項１または２に記載の携帯無線端末装置。 
【請求項４】
前記動作モード遷移制御手段は、利用者が設定したスケジュールに従って通常モードと警戒モードとの間の動作モードの遷移を制御することを特徴とする請求項１〜３のいずれか一つに記載の携帯無線端末装置。
【発明の詳細な説明】
【技術分野】
【０００１】
この発明は、携帯可能で無線通信機能を有する携帯無線端末装置に関し、特に、非常時に利用者による操作なしに利用者の状況に関する情報を所定の送信先に送信し、もって利用者の保護を可能とする携帯無線端末装置に関するものである。
【背景技術】
【０００２】
携帯電話を利用した監視システムとして、例えば、特許文献１には、監視センターにて監視対象となる携帯電話機を制御／監視するシステムが記載されている。このような監視センターを使用した監視システムは、緊急度に応じてそれぞれ対応方法が異なる複数の監視モードと監視を依頼する期間のスケジュールとを連動させ端末の音声、映像、周囲の状況を把握する各種情報をセンターに送信することで包括的な監視システムを構築することが可能であり、各緊急事態に対応して個人の安全確認と証拠の保全／緊急時の早期対応が可能となっている。
【０００３】
しかし、監視センターを使用した監視システムは、システム構成上携帯電話端末以外に各種の設備が必要となりコスト的に高価であり、また、監視モードの選択、監視依頼時間の登録など監視システム運用の事前登録が必要であり、高度な監視システムを実現するかわりに簡単な操作で運用する事が難しいという欠点がある。
【０００４】
このため、セキュリティ機器、監視センター等の他の設備を使用することなく携帯電話機のみで実現可能な簡易的な監視システムへのニーズが高く、このような監視システムとして、例えば、特許文献２には、非常時に利用者が非常ボタンを押下することで各種情報を予め設定した通信先に送付する無線端末装置を利用した防犯システムが記載されている。
【０００５】
この無線端末装置は、緊急ボタン押下時に端末がサービスエリア圏外に存在していても、各種データを記憶しておきサービスエリア圏内になった際に記憶した情報を送信する機能を有し、かつ電源オフ時でも内部的に待機状態として無表示状態でも各種防犯機能が動作するという特徴を有する。
【０００６】
【特許文献１】特開２００２−２４７２２３号公報
【特許文献２】特開２００４−７２４９９号公報
【発明の開示】
【発明が解決しようとする課題】
【０００７】
しかしながら、かかる無線端末装置には、非常ボタンを押下することで各種情報を送信するため、誘拐、監禁に遭遇した場合等の無線端末装置を操作できない状態に陥ると防犯効果が期待できないという問題がある。
【０００８】
この発明は、上述した従来技術による問題点を解消するためになされたものであり、非常時に利用者による操作なしに利用者の状況に関する情報を所定の送信先に送信し、もって利用者の保護を可能とする携帯無線端末装置を提供することを目的とする。
【課題を解決するための手段】
【０００９】
上述した課題を解決し、目的を達成するため、請求項１の発明に係る携帯無線端末装置は、携帯可能で無線通信機能を有する携帯無線端末装置であって、携帯無線端末装置としての通常の機能が動作する通常モードと利用者保護機能が動作する警戒モードとの間の動作モードの遷移を制御する動作モード遷移制御手段と、前記動作モード遷移制御手段により動作モードが警戒モードに遷移された状態で利用者の状況に関する情報を警戒情報として所定の送信先に送信する警戒情報送信手段と、を備えたことを特徴とする。
【００１０】
この請求項１の発明によれば、携帯無線端末装置としての通常の機能が動作する通常モードと利用者保護機能が動作する警戒モードとの間の動作モードの遷移を制御し、動作モードを警戒モードに遷移した状態で利用者の状況に関する情報を警戒情報として所定の送信先に送信するよう構成したので、利用者が警戒モードに設定しておくことで非常時に利用者による操作なしに利用者の状況に関する情報を所定の送信先に送信することができる。
【００１１】
また、請求項２の発明に係る携帯無線端末装置は、請求項１の発明において、前記動作モード遷移制御手段は、警戒モードの状態で所定の条件が成立した場合に緊急状態に陥った利用者の保護機能が電源がオフの状態で動作する緊急モードへ動作モードを遷移し、前記動作モード遷移制御手段により動作モードが緊急モードに遷移された状態で電源をオンにして利用者の状況に関する情報を緊急情報として所定の送信先に送信する緊急情報送信手段をさらに備えたことを特徴とする。
【００１２】
この請求項２の発明によれば、警戒モードの状態で所定の条件が成立した場合に緊急状態に陥った利用者の保護機能が電源がオフの状態で動作する緊急モードへ動作モードを遷移し、動作モードを緊急モードに遷移した状態で電源をオンにして利用者の状況に関する情報を緊急情報として所定の送信先に送信するよう構成したので、緊急状態に陥った利用者の状況に関する情報を所定の送信先に送信することができる。
【００１３】
また、請求項３の発明に係る携帯無線端末装置は、請求項２の発明において、前記動作モード遷移制御手段は、電源がオフされた場合、電池残量が所定の量を下回った場合または所定の時間が経過した場合を前記所定の条件が成立した場合として緊急モードへ動作モードを遷移することを特徴とする。
【００１４】
この請求項３の発明によれば、電源がオフされた場合、電池残量が所定の量を下回った場合または所定の時間が経過した場合を所定の条件が成立した場合として緊急モードへ動作モードを遷移するよう構成したので、利用者が緊急状態に陥った場合には緊急モードへ動作モードを遷移することができる。
【００１５】
また、請求項４の発明に係る携帯無線端末装置は、請求項１、２または３の発明において、前記動作モード遷移制御手段は、利用者によるキー操作によって通常モードと警戒モードとの間の動作モードの遷移を制御することを特徴とする。
【００１６】
この請求項４の発明によれば、利用者によるキー操作によって通常モードと警戒モードとの間の動作モードの遷移を制御するよう構成したので、利用者はキー操作によって警戒モードに設定することができる。
【００１７】
また、請求項５の発明に係る携帯無線端末装置は、請求項１〜４の発明において、前記動作モード遷移制御手段は、利用者が設定したスケジュールに従って通常モードと警戒モードとの間の動作モードの遷移を制御することを特徴とする。
【００１８】
この請求項５の発明によれば、利用者が設定したスケジュールに従って通常モードと警戒モードとの間の動作モードの遷移を制御するよう構成したので、利用者はスケジュールを設定することによって警戒モードに自動移行させることができる。
【発明の効果】
【００１９】
請求項１の発明によれば、利用者が警戒モードに設定しておくことで非常時に利用者による操作なしに利用者の状況に関する情報を所定の送信先に送信するので、利用者の保護を可能とすることができるという効果を奏する。
【００２０】
また、請求項２の発明によれば、緊急状態に陥った利用者の状況に関する情報を所定の送信先に送信するので、利用者の保護を可能とすることができるという効果を奏する。
【００２１】
また、請求項３の発明によれば、利用者が緊急状態に陥った場合には緊急モードへ動作モードを遷移するので、緊急状態に陥った利用者の保護を可能とすることができるという効果を奏する。
【００２２】
また、請求項４の発明によれば、利用者はキー操作によって警戒モードに設定することができるので、警戒を要する場合には事前に警戒モードに設定することができるという効果を奏する。
【００２３】
また、請求項５の発明によれば、利用者はスケジュールを設定することによって警戒モードに自動移行させることができるので、スケジュール設定することで警戒モードの設定忘れを防ぐことができるという効果を奏する。
【発明を実施するための最良の形態】
【００２４】
以下に添付図面を参照して、この発明に係る携帯無線端末装置の好適な実施例を詳細に説明する。なお、本実施例では、本発明を携帯電話機に適用して防犯に利用する場合を中心に説明する。
【実施例】
【００２５】
まず、本実施例に係る携帯電話機が有する三つの動作モードおよび動作モード間の遷移について説明する。図１は、本実施例に係る携帯電話機が有する三つの動作モードおよび動作モード間の遷移を示す動作モード遷移図である。
【００２６】
同図に示すように、本実施例に係る携帯電話機は、通常モード、警戒モードおよび緊急モードの三つの動作モードを有する。通常モードは、通話やメールなど携帯電話機を通常使用する際のモードである。通常モードでは、画像撮影／送信、位置情報取得／送信、音声録音／送信、電池残量の監視等の防犯に関する動作を一切行わない。通常モード中、利用者操作により警戒モード移行のための操作が行われた場合、あるいは、利用者スケジュールによる警戒モード切替えがあった場合、警戒モードに移行する。
【００２７】
警戒モードは、通常モードで使用可能な各種機能に加えて携帯電話機の第一段階の防犯機能を動作させ、利用者保護のための防犯情報を警戒情報として所定の宛先にメールで送信するモードである。ここで、防犯情報としては、携帯電話機の位置情報ならびに周囲の画像および音声がある。警戒モード中は、利用者操作により画像撮影／送信、位置情報取得／送信、音声録音／送信、アラーム鳴動などの防犯動作を即座に行うことが可能である。併せて画像撮影／送信、位置情報取得／送信、音声録音／送信を利用者設定の周期にて自動的に繰り返すことが可能である。
【００２８】
また、警戒モード中、利用者操作により通常モード移行のための操作が行われた場合、あるいは、利用者スケジュールによる通常モード切替えがあった場合は、通常モードに移行する。
【００２９】
また、警戒モード中に電源オフ操作が行われた場合、利用者が設定した時間が経過した場合、もしくは電池残量が利用者が設定した閾値を下回った場合に、警戒モードから緊急モードへ移行する。
【００３０】
緊急モードは、携帯電話機の第二段階の防犯機能を動作させて防犯情報を緊急情報として所定の宛先にメールで送信するモードである。緊急モード中は、携帯電話機は基本的には電源オフ状態となるが、利用者指定の周期で自動的に電源をオンし、無音、無表示にて第三者に悟られることなく画像撮影／送信、位置情報取得／送信、音声録音／送信を自動的に繰り返すことが可能である。
【００３１】
このように、本実施例では、携帯電話機に三つの動作モード（通常モード、警戒モード、緊急モード）を設け、各々のモード毎に動作する機能を切り替え可能とし、利用者が警戒モードで携帯電話機を使用することによって、監視センター、他のセキュリティ機器等の携帯電話機以外の機器を使用することなく簡易的な防犯システムを構築することができる。
【００３２】
また、防犯機能動作時には、利用者操作を必要とすることなく防犯情報を周期的にかつ自動的にメール送信する機能を有することにより、誘拐／監禁された場合等の危機的状況において利用者が携帯電話機を操作不能な状態でも、防犯機能を動作させることを可能とすることで、犯罪被害の拡大を抑止することができる。
【００３３】
次に、本実施例に係る携帯電話機の構成について説明する。図２は、本実施例に係る携帯電話機の構成を示す機能ブロック図である。同図に示すように、この携帯電話機１００は、計時専用チップ１００ａとアプリケーション用チップ１００ｂとを有する。
【００３４】
計時専用チップ１００ａは、携帯電話機１００の電源がオフである場合にも常時給電されているタイマーであり、携帯電話機１００が緊急モードで動作を開始するときに緊急情報を送信する周期が設定され、設定時間が経過するとアプリケーション用チップ１００ｂの電源をオンにする。
【００３５】
アプリケーション用チップ１００ｂは、通常の携帯電話としての動作と防犯動作を行うハードウェアであり、設定情報記憶部１０１と、キー制御部１０２と、動作モード制御部１０３と、ＧＰＳ制御部１０４と、カメラ制御部１０５と、トーン／音声制御部１０６と、表示制御部１０７と、タイマー制御部１０８と、電池残量制御部１０９と、スケジュール制御部１１０と、メール制御部１１１と、無線制御部１１２と、設定情報制御部１１３とを有する。
【００３６】
設定情報記憶部１０１は、電源オン周期、警戒情報送信周期、緊急モード移行時間、電池残量閾値、警戒情報送付先、緊急情報送付先、動作モード移行スケジュールなどの設定情報を記憶する記憶部である。
【００３７】
ここで、電源オン周期は、緊急モード時に携帯電話機の電源をオンにして周囲の状況や位置を把握するための防犯情報を緊急情報として送信する周期であり、緊急情報送付先は、その送付先のメールアドレスである。警戒情報送信周期は、警戒モード時に防犯情報を警戒情報として送信する周期であり、警戒情報送付先は、その送付先のメールアドレスである。緊急モード移行時間は、警戒モードから緊急モードへの自動移行時間であり、電池残量閾値は、警戒モードから緊急モードへ移行する際の電池残量の閾値である。動作モード移行スケジュールは、通常モードと警戒モードとの間の移行時間を指定するスケジュールである。なお、この設定情報記憶部１０１には、不揮発性メモリが用いられる。
【００３８】
キー制御部１０２は、利用者からのキー操作を受け付ける処理部であり、受け付けたキー操作の内容を動作モード制御部１０３や設定情報制御部１１３に通知する。例えば、このキー制御部１０２は、通常モードと警戒モードとの間の移行のためのキー操作を受け付け、動作モード制御部１０３に通知したり、設定情報記憶部１０１に記憶される各種の設定値の入力を利用者から受け付けて設定情報制御部１１３に渡したりする。
【００３９】
動作モード制御部１０３は、通常モード、警戒モードおよび緊急モードの間の切り替えを制御するとともに、各動作モード時の動作制御を行う制御部である。具体的には、この動作モード制御部１０３は、携帯電話機１００の動作モード、キー制御部１０２からのキー操作通知、設定情報記憶部１０１に記憶された設定情報などに基づいて以下のような動作制御を行う。
【００４０】
この動作モード制御部１０３は、動作モードが通常モードであるときに、通常モードから警戒モードへの移行を指示するキー操作が利用者により行われたことをキー制御部１０２から通知された場合、あるいは、通常モードから警戒モードへの移行時刻となったことをスケジュール制御部１１０から通知された場合に、動作モードを通常モードから警戒モードへ切り替える。
【００４１】
このとき、この動作モード制御部１０３は、設定情報記憶部１０１に記憶された警戒情報送信周期を参照し、その周期に設定されている時間でタイマーを起動するよう起動要求をタイマー制御部１０８に送信する。また、設定情報記憶部１０１に記憶された緊急モード移行時間を参照し、その時間に設定されている時間でタイマーを起動するよう起動要求をタイマー制御部１０８に送信する。
【００４２】
なお、この動作モード制御部１０３は、動作モードが警戒モードであるときに、警戒情報送信周期または緊急モード移行時間の変更通知を受けた場合には、新しい設定値でタイマーを起動するようにタイマー制御部１０８にタイマー起動要求を送信する。
【００４３】
また、この動作モード制御部１０３は、動作モードが警戒モードであるときに、タイマー制御部１０８から警戒情報送信周期に対するタイムアウトの通知を受け取ると、携帯電話機１００の周囲の状況や位置の把握に用いられる防犯情報の取得のため、ＧＰＳ制御部１０４に位置情報の取得を指示し、カメラ制御部１０５に対して画像撮影を指示し、トーン／音声制御部１０６に対して周囲音声の録音を指示し、それら各々の防犯情報取得後、設定情報記憶部１０１から警戒情報送付先を取得し、防犯情報および送付先の情報を元にメール制御部１１１へ警戒情報のメール送信を指示する。
【００４４】
また、この動作モード制御部１０３は、動作モードが警戒モードであるときに、利用者によって警戒情報送付操作が行われたことをキー制御部１０２から通知された場合にも、警戒情報のメール送信をメール制御部１１１に指示する。
【００４５】
また、この動作モード制御部１０３は、動作モードが警戒モードであるときに、利用者によってアラーム鳴動操作が行われたことをキー制御部１０２から通知された場合には、トーン／音声制御部１０６に対してアラーム鳴動を指示する。
【００４６】
また、この動作モード制御部１０３は、動作モードが警戒モードであるときに、タイマー制御部１０８から緊急モード移行時間に対するタイムアウトの通知を受け取ると、動作モードを緊急モードに切り替える。これは、携帯電話機１００の利用者に緊急事態が発生し、利用者が携帯電話機１００を操作できない状況にあると考えられるためである。
【００４７】
また、この動作モード制御部１０３は、動作モードが警戒モードであるときに、電池残量制御部１０９から電池残量が設定情報記憶部１０１に記憶された電池残量閾値を下回ったことを通知された場合にも、動作モードを緊急モードに切り替える。これは、緊急時に電池切れによって防犯機能が動作しなくなることを防ぐためである。
【００４８】
また、この動作モード制御部１０３は、動作モードが警戒モードであるときに、電源オフ操作が行われたことをキー制御部１０２から通知された場合にも、動作モードを緊急モードに切り替える。これは、利用者に緊急事態が発生し、利用者以外の例えば犯罪者が電源をオフしたと考えられるためである。
【００４９】
また、この動作モード制御部１０３は、動作モードを緊急モードに切り替えた際に、設定情報記憶部１０１に記憶されている電源オン周期の設定値を参照し、その情報を常時給電されている計時専用チップ１００ａへ設定し、その後、携帯電話機１００の電源をオフする。電源をオフすることにより各制御部は、通常モード時と同様に終了処理を行う。これにより、携帯電話機１００としては、計時専用チップ１００ａのみ作動している状態となる。計時専用チップ１００ａは、携帯電話機１００が電源オフでも給電をされ、動作モード制御部１０３から設定された電源オン周期経過後にアプリケーション用チップ１００ｂの電源をオンする。
【００５０】
また、この動作モード制御部１０３は、動作モードが緊急モードであるときに、計時専用チップ１００ａによりアプリケーション用チップ１００ｂの電源がオンにされると、ＧＰＳ制御部１０４、カメラ制御部１０５、トーン／音声制御部１０６、表示制御部１０７、メール制御部１１１、無線制御部１１２、設定情報制御部１１３に対して緊急モード起動要求を送信する。
【００５１】
そして、この動作モード制御部１０３は、携帯電話機１００の周囲の状況や位置を把握するための防犯情報取得のため、ＧＰＳ制御部１０４に位置情報の取得を指示し、カメラ制御部１０５に対して画像撮影を指示し、トーン／音声制御部１０６に対して周囲音声の録音を指示する。そして、それら各々の情報取得後、設定情報記憶部１０１に記憶された緊急情報送付先の情報を取得し、これらの情報を元にメール制御部１１１へメール送信要求を送信する。
【００５２】
そして、この動作モード制御部１０３は、メール送信後、設定情報記憶部１０１に記憶されている電源オン周期の設定値を参照し、その設定値を計時専用チップ１００ａへ設定後、アプリケーション用チップ１００ｂの電源をオフする。このようにして、緊急モードの動作が繰り返される。
【００５３】
なお、この動作モード制御部１０３は、動作モードが緊急モードであるときは、見た目上の画面が変化しないように表示制御部１０７に対して画面を変化させないよう制御することを指示し、トーン／音声制御部１０６に対して各種の音が無音となるよう制御することを指示する。
【００５４】
また、この動作モード制御部１０３は、動作モードが警戒モードであるときに、警戒モードから通常モードへの移行を指示するキー操作が利用者により行われたことをキー制御部１０２から通知されると、警戒情報送信周期および緊急モード移行時間タイマーの終了要求をタイマー制御部１０８に送信し、動作モードを警戒モードから通常モードへ切り替える。
【００５５】
また、この動作モード制御部１０３は、動作モードが警戒モードであるときに、スケジュール制御部１１０から通常モードへの移行通知を受け取ると、警戒情報送信周期および緊急モード移行時間タイマーの終了要求をタイマー制御部１０８に送信し、動作モードを通常モードに切り替える。
【００５６】
また、この動作モード制御部１０３は、動作モードを警戒モードから通常モードに切り替えるときに、動作モード移行スケジュールが設定されている場合には、スケジュール制御部１１０から警戒モードへの移行時間を取得し、取得した時間でタイマーを起動するようにタイマー制御部１０８に指示する。
【００５７】
また、この動作モード制御部１０３は、動作モードが通常モードであるときに、タイマー制御部１０８から警戒モード移行時間に対するタイムアウトの通知を受け取ると、動作モードを警戒モードに切り替える。
【００５８】
このように、この動作モード制御部１０３が、携帯電話機１００の動作モード、キー制御部１０２からのキー操作通知、設定情報記憶部１０１に記憶された設定情報などに基づいて携帯電話機１００の動作モードの遷移を制御し、警戒モードおよび緊急モードで防犯情報を所定の周期で所定の送付先に送信するように制御することによって、非常時に利用者が操作することなく、防犯機能を動作させることができる。
【００５９】
ＧＰＳ制御部１０４は、ＧＰＳを用いて位置情報を取得し、取得した位置情報を管理する処理部であり、動作モード制御部１０３から位置情報の取得指示を受けると、即座に位置情報の取得を行い、取得した位置情報を動作モード制御部１０３に通知する。
【００６０】
カメラ制御部１０５は、カメラによる画像撮影を行い、撮影した画像情報を管理する処理部であり、動作モード制御部１０３から画像撮影指示を受けると、即座に画像撮影を行い、撮影した画像を動作モード制御部１０３に通知する。
【００６１】
トーン／音声制御部１０６は、トーンの出力および音声の入出力を制御する制御部であり、動作モード制御部１０３から音声情報の取得指示を受けると、即座に音声情報の取得を行い、取得した音声情報を動作モード制御部１０３に通知する。また、このトーン／音声制御部１０６は、緊急モードで動作している場合には、トーン／音声出力を行わないように制御する。
【００６２】
表示制御部１０７は、携帯電話機１００の画面表示を制御する制御部である。この表示制御部１０７は、緊急モードで動作している場合には、画面表示を行わないように制御する。
【００６３】
タイマー制御部１０８は、警戒モード時に画像情報／位置情報等を定期送信する周期時間および動作モード移行のための経過時間の計測を制御する制御部であり、指定された時間でタイマーを起動し、このタイマーがタイムアウトした場合、タイムアウトしたことを動作モード制御部１０３に通知する。
【００６４】
電池残量制御部１０９は、電池残量が設定情報記憶部１０１に記憶された閾値を下回っていないかを定期的に判定し、電池残量が閾値を下回った場合に、電池残量アラームを動作モード制御部１０３に通知する処理部である。
【００６５】
スケジュール制御部１１０は、動作モード切替えのためのスケジュール管理を行う処理部であり、設定情報記憶部１０１に記憶された動作モード移行スケジュールに基づいて通常モードから警戒モード、あるいは、警戒モードから通常モードへ切替える時刻になったか否かを定期的に判定する。そして、利用者が設定した切替え時刻になった場合、動作モード制御部１０３にモード変更依頼を送信する。
【００６６】
なお、スケジュールにより切り替え可能なモードは、通常モード⇒警戒モード、警戒モード⇒通常モードのみとし、通常モード／警戒モード⇒緊急モード、緊急モード⇒通常モード／警戒モードへの切替えは行えないものとする。
【００６７】
メール制御部１１１は、メールの送受信を行う処理部であり、動作モード制御部１０３から防犯情報および送付先の情報を受け取り、防犯情報を送付先に無線制御部１１２を介してメールで送信する。
【００６８】
無線制御部１１２は、無線による情報の送受信に関する制御を行う制御部であり、無線により送られてくる情報を受信し、また、メールなどの情報を無線で送信する。
【００６９】
設定情報制御部１１３は、キー制御部１０２から設定情報を受け取り、設定情報の設定情報記憶部１０１への登録や設定情報の変更を行う処理部である。ここで、設定情報としては、電源オン周期、警戒情報送信周期、緊急モード移行時間、電池残量閾値、警戒情報送付先、緊急情報送付先、動作移行モードスケジュールなどがある。なお、この設定情報制御部１１３は、警戒情報送信周期または緊急モード移行時間が変更された場合には、変更を動作モード制御部１０３に通知する。
【００７０】
次に、本実施例に係る携帯電話機１００の警戒モード時の動作フローについて説明する。図３は、本実施例に係る携帯電話機１００の警戒モード時の動作フローを示す図である。なお、ここでは、警戒情報送信周期または緊急モード移行時間が変更された場合の動作については説明を省略する。
【００７１】
図３に示すように、この携帯電話機１００は、通常モードから警戒モードへ遷移すると、まず、動作モード制御部１０３が警戒情報送信周期の計測に用いる警戒情報送付タイマーのセットをタイマー制御部１０８に指示し、タイマー制御部１０８が警戒情報送付タイマーをセットする（ステップＳ１０１）。
【００７２】
また、動作モード制御部１０３は、緊急モード移行時間の計測に用いる緊急モード移行タイマーのセットをタイマー制御部１０８に指示し、タイマー制御部１０８が緊急モード移行タイマーをセットする（ステップＳ１０２）。
【００７３】
そして、電池残量制御部１０９が電池残量を電池残量閾値と比較し、電池残量がないと判定すると（ステップＳ１０３）、その旨を動作モード制御部１０３に通知し、動作モード制御部１０３が警戒モードを終了し、動作モードを緊急モードへ移行させる（ステップＳ１０４）。
【００７４】
また、キー制御部１０２が利用者による警戒情報送信操作を受け付けると（ステップＳ１０５）、その旨を動作モード制御部１０３に通知する。そして、動作モード制御部１０３が警戒情報として防犯情報を取得し（ステップＳ１０６）、取得した警戒情報を送信するようメール制御部１１１に指示し、メール制御部１１１が無線制御部１１２を介して警戒情報をメールで送信する（ステップＳ１０７）。
【００７５】
また、キー制御部１０２が電源オフ操作を受け付けると（ステップＳ１０８）、その旨を動作モード制御部１０３に通知し、動作モード制御部１０３が警戒モードを終了し、動作モードを緊急モードへ移行させる（ステップＳ１０９）。
【００７６】
また、キー制御部１０２が利用者によるアラーム鳴動操作を受け付けると（ステップＳ１１０）、その旨を動作モード制御部１０３に通知する。そして、動作モード制御部１０３がアラーム鳴動をトーン／音声制御部１０６に指示し、トーン／音声制御部１０６がアラーム鳴動を行う（ステップＳ１１１）。
【００７７】
また、動作モード制御部１０３がタイマー制御部１０８から警戒情報送付タイマータイムアウト通知を受け取ると（ステップＳ１１２）、警戒情報として防犯情報を取得する（ステップＳ１１３）。そして、取得した警戒情報を送信するようメール制御部１１１に指示し、メール制御部１１１が無線制御部１１２を介して警戒情報をメールで送信する（ステップＳ１１４）。
【００７８】
また、動作モード制御部１０３は、タイマー制御部１０８に警戒情報送信周期の値の再セットを指示し、タイマー制御部１０８が警戒情報送信周期の値を再セットする（ステップＳ１１５）。
【００７９】
また、動作モード制御部１０３がタイマー制御部１０８から緊急モード移行タイマータイムアウト通知を受け取ると（ステップＳ１１６）、警戒モードを終了し、動作モードを緊急モードへ移行させる（ステップＳ１１７）。
【００８０】
また、スケジュール制御部１１０が動作モード移行時刻になったと判定すると（ステップＳ１１８）、その旨を動作モード制御部１０３に通知し、動作モード制御部１０３が警戒モードを終了し、動作モードを通常モードへ移行させる（ステップＳ１１９）。
【００８１】
また、キー制御部１０２が利用者による動作モード移行操作を受け付けると（ステップＳ１２０）、その旨を動作モード制御部１０３に通知し、動作モード制御部１０３が警戒モードを終了し、動作モードを通常モードへ移行させる（ステップＳ１２１）。
【００８２】
このように、動作モードが警戒モードの場合には、動作モード制御部１０３が警戒情報送信周期で警戒情報を送信することによって、利用者は事前に警戒モードに設定しておくことで、非常時に全く操作ができない場合にも警戒情報を所定の送付先に送信することができる。また、利用者は、緊急モード移行時間を設定しておくことによって、警戒モードから緊急モードへ自動遷移させることもできる。
【００８３】
次に、本実施例に係る携帯電話機１００の緊急モード時の動作フローについて説明する。図４は、本実施例に係る携帯電話機１００の緊急モード時の動作フローを示す図である。
【００８４】
同図に示すように、この携帯電話機１００は、緊急モードで計時専用チップ１００ａによってアプリケーション用チップ１００ｂの電源がオンされると、動作モード制御部１０３が、ＧＰＳ制御部１０４、カメラ制御部１０５、トーン／音声制御部１０６、表示制御部１０７、メール制御部１１１、無線制御部１１２、設定情報制御部１１３を緊急モードにて起動する（ステップＳ２０１）。ただし、動作モード制御部１０３は、画面表示、バックライト、トーン／音声出力はオフするように指示する。
【００８５】
そして、動作モード制御部１０３が緊急情報として防犯情報を取得し（ステップＳ２０２）、取得した緊急情報を送信するようメール制御部１１１に指示し、メール制御部１１１が無線制御部１１２を介して緊急情報をメールで送信する（ステップＳ２０３）。
【００８６】
また、動作モード制御部１０３は、計時専用チップ１００ａに電源オン周期によるタイマーセットを指示し、計時専用チップ１００ａが電源オン周期によるタイマーをセットする（ステップＳ２０４）。そして、動作モード制御部１０３は、アプリケーション用チップ１００ｂの電源をオフする（ステップＳ２０５）。
【００８７】
このように、動作モードが緊急モードの場合には、動作モード制御部１０３が電源オン周期で緊急情報を送信することによって、利用者は事前に警戒モードおよび緊急モード移行時間を設定しておくことで、非常時に全く操作ができない場合にも自動的に緊急モードに移行して緊急情報を所定の送付先に送信することができる。
【００８８】
上述してきたように、本実施例では、携帯電話機１００に警戒モードを設け、警戒モードの状態では、動作モード制御部１０３が警戒情報を所定の周期で所定の送付先に送信するよう制御することとしたので、利用者は、非常時に携帯電話機１００を操作することなく防犯機能を動作させることができる。
【００８９】
また、本実施例では、警戒モードで電源がオフされた場合、電池残量が所定の閾値を下回った場合または警戒モードで所定の時間が経過した場合に、動作モード制御部１０３が動作モードを警戒モードから緊急モードに遷移させ、画面表示や音の出力をオフにした状態で緊急情報を所定の周期で所定の送付先に送信するよう制御することとしたので、第三者に悟られることなく、緊急情報を送信することができる。
【００９０】
すなわち、利用者が誘拐、監禁等、不意の災害に巻き込まれたりした場合、警戒モードに設定していれば、利用者設定の時間経過後に自動的に緊急モード／緊急モードでの防犯機能が動作することで、第三者に悟られることなく位置情報やカメラ画像、音声をメール送信することが可能となる。
【００９１】
また、犯罪加害者に携帯電話機の電源をオフされた場合にも緊急モードへ移行して防犯機能が動作することで、トラブル発生場所／居場所を特定する確率を向上させることが可能となり、結果として犯罪被害拡大等の抑止効果が期待できる。
【００９２】
また、通常時は通常モードで運用することでこれまでと同様の機能／性能を維持しつつ、利用者が危険を感じるような状況、例えば人通りの少ない道路を通行する場合、不案内な場所を通行する場合、夜間の帰宅時等に、利用者が自身で携帯電話機を警戒モード／緊急モードとして動作させることで、利用者の意思に応じた簡易的な防犯機能を動作させることが可能となる。
【００９３】
なお、本実施例では、携帯電話機について説明したが、本発明はこれに限定されるものではなく、携帯可能で、無線通信機能を備えた携帯無線端末装置であれば同様に適用することができる。
【００９４】
また、本実施例では、防犯システムとして利用する場合について説明したが、本発明はこれに限定されるものではなく、事故や急な病気のために利用者が携帯電話機を操作できない状態で非常事態が発生した場合などにも同様に適用することができる。
【００９５】
（付記１）携帯可能で無線通信機能を有する携帯無線端末装置であって、
携帯無線端末装置としての通常の機能が動作する通常モードと利用者保護機能が動作する警戒モードとの間の動作モードの遷移を制御する動作モード遷移制御手段と、
前記動作モード遷移制御手段により動作モードが警戒モードに遷移された状態で利用者の状況に関する情報を警戒情報として所定の送信先に送信する警戒情報送信手段と、
を備えたことを特徴とする携帯無線端末装置。
【００９６】
（付記２）前記警戒情報送信手段は、一定の周期で警戒情報を所定の送信先に送信することを特徴とする付記１に記載の携帯無線端末装置。
【００９７】
（付記３）前記動作モード遷移制御手段は、警戒モードの状態で所定の条件が成立した場合に緊急状態に陥った利用者の保護機能が電源がオフの状態で動作する緊急モードへ動作モードを遷移し、
前記動作モード遷移制御手段により動作モードが緊急モードに遷移された状態で電源をオンにして利用者の状況に関する情報を緊急情報として所定の送信先に送信する緊急情報送信手段をさらに備えたことを特徴とする付記１または２に記載の携帯無線端末装置。
【００９８】
（付記４）前記警戒情報送信手段は、一定の周期で緊急情報を所定の送信先に送信することを特徴とする付記３に記載の携帯無線端末装置。
【００９９】
（付記５）前記緊急情報送信手段は、表示および音の出力をオフにして緊急情報を所定の送信先に送信することを特徴とする付記３または４に記載の携帯無線端末装置。
【０１００】
（付記６）前記動作モード遷移制御手段は、電源がオフされた場合、電池残量が所定の量を下回った場合または所定の時間が経過した場合を前記所定の条件が成立した場合として緊急モードへ動作モードを遷移することを特徴とする付記２〜５のいずれか一つに記載の携帯無線端末装置。
【０１０１】
（付記７）前記動作モード遷移制御手段は、利用者によるキー操作によって通常モードと警戒モードとの間の動作モードの遷移を制御することを特徴とする付記１〜６のいずれか一つに記載の携帯無線端末装置。
【０１０２】
（付記８）前記動作モード遷移制御手段は、利用者が設定したスケジュールに従って通常モードと警戒モードとの間の動作モードの遷移を制御することを特徴とする付記１〜７のいずれか一つに記載の携帯無線端末装置。
【０１０３】
（付記９）前記警戒情報送信手段が送信する警戒情報および前記緊急情報送信手段が送信する緊急情報には、ＧＰＳにより取得した位置情報が含まれることを特徴とする付記１〜８のいずれか一つに記載の携帯無線端末装置。
【０１０４】
（付記１０）前記動作モード遷移制御手段により動作モードが警戒モードに遷移された状態で利用者によるアラーム鳴動操作を受け付けてアラームを鳴動するアラーム鳴動手段をさらに備えたことを特徴とする付記１〜９のいずれか一つに記載の携帯無線端末装置。
【産業上の利用可能性】
【０１０５】
以上のように、本発明に係る携帯無線端末装置は、防犯システムなどの緊急連絡システムの構築に有用であり、特に、利用者が全く携帯電話機を操作できない状態に陥った場合に適している。
【図面の簡単な説明】
【０１０６】
【図１】本実施例に係る携帯電話機が有する三つの動作モードおよび動作モード間の遷移を示す動作モード遷移図である。
【図２】本実施例に係る携帯電話機の構成を示す機能ブロック図である。
【図３】本実施例に係る携帯電話機の警戒モード時の動作フローを示す図である。
【図４】本実施例に係る携帯電話機の緊急モード時の動作フローを示す図である。
【符号の説明】
【０１０７】
１００    携帯電話機
１００ａ    計時専用チップ
１００ｂ    アプリケーション用チップ
１０１    設定情報記憶部
１０２    キー制御部
１０３    動作モード制御部
１０４    ＧＰＳ制御部
１０５    カメラ制御部
１０６    トーン／音声制御部
１０７    表示制御部
１０８    タイマー制御部
１０９    電池残量制御部
１１０    スケジュール制御部
１１１    メール制御部
１１２    無線制御部
１１３    設定情報制御部
【図１】
0004653584.tif 000002
【図２】
0004653584.tif 000003
【図３】
0004653584.tif 000004
【図４】
0004653584.tif 000005